【手続補正書】
【提出日】平成18年9月8日(2006.9.8)
【手続補正１】
【補正対象書類名】特許請求の範囲
【補正対象項目名】全文
【補正方法】変更
【補正の内容】
【特許請求の範囲】
【請求項１】
内部光源から発生された第１光を集光させて経路調節された第２光を射出する、第１プリズムシートを有する光経路調節手段を含むバックライトアセンブリと、
前記第２光の偏光面を均一に偏光させるアンチ−グレア偏光板を含む前記経路調節された第２光に基づいて画像をディスプレーする液晶パネルアセンブリと、を含み、
前記第１プリズムシートは、第１透明フィルム上にラウンド形状の頂点を有する第１プリズム列を含み、前記第１プリズム列は「Ｖ」字形状の溝を形成し、前記第１プリズム列の各プリズムは、基底面と第１及び第２傾面を有する三角柱形状の複数のプリズムを具備し、前記第１及び第２傾面によって形成された最高点は同一高さを有し、前記最高点を連結したラインは曲線であることを特徴とする液晶表示装置。
【請求項２】
前記液晶パネルアセンブリは、ｉ）上部基板と、ｉｉ）前記上部基板に対向する下部基板と、ｉｉｉ）前記上部基板及び前記下部基板間に形成された液晶層と、ｉｖ）前記下部基板の背面に配置されて前記第２光の偏光面を均一に偏光させて前記下部基板に提供するアンチ−グレア偏光板とを含むことを特徴とする請求項１に記載の液晶表示装置。
【請求項３】
前記アンチ−グレア偏光板は上面が前記下部基板に対向し、背面が約１２％〜４４％の範囲内のヘイズ値を有するように処理された偏光板であることを特徴とする請求項２に記載の液晶表示装置。
【請求項４】
前記光経路調節手段は、第２透明フィルム上に形成された複数の第２プリズムが形成され、前記第１プリズムシートの下部に配置され、前記ランプから提供される第１光を集光して前記第１プリズムシートに提供する第２プリズムシートをさらに備えることを特徴とする請求項１に記載の液晶表示装置。
【請求項５】
前記バックライトアセンブリは、前記ランプから第１光の提供を受けて、前記第１光の経路をガイドし、前記ガイドされた光を前記液晶パネルアセンブリに対向する面に形成される拡散手段を通じて拡散させて前記液晶パネルアセンブリに射出する導光板をさらに備えることを特徴とする請求項１に記載の液晶表示装置。
【請求項６】
内部光源から発生された第１光を集光させて経路調節された第２光に射出する第１プリズムシートを有する光経路調節手段を含むバックライトアセンブリと、
前記第２光の偏光面を均一に偏光させるアンチ−グレア偏光板を含む前記経路調節された第２光に基づいて画像をディスプレーする液晶パネルアセンブリと、を含み、
前記第１プリズムシートは、第１ラインと前記第１ラインに実質的に垂直な第２ラインとして定義される光射出面を有し、前記第１プリズムシートは第１透明フィルム上に形成された第１プリズム列を含み、前記第１プリズム列は「Ｖ」字形状の溝を形成し、前記第１プリズム列の各プリズムは、基底面と第１斜面と第２斜面とを有する三角柱形状の複数のプリズムを備え、前記第１斜面及び第２斜面により形成された最高点は、全て同一高さを有し、前記最高点を連結したラインは前記プリズムの長手方向に延長され、前記第１ラインに傾斜する直線であることを特徴とする液晶表示装置。
【請求項７】
ｉ）第１光を発生するランプと、
ｉｉ）第１透明フィルム上にラウンド形状の頂点を有する複数の第１プリズムが形成されて前記ランプから提供される第１光を集光させて経路調節された第２光を射出する第１プリズムシートを有する光経路調節手段を含むバックライトアセンブリと、
ｉｉｉ）上部基板と、前記上部基板に対向する下部基板と、前記上部基板及び前記下部基板間に形成された液晶層と、前記下部基板の背面に配置されて前記第２光の偏光面を均一に偏光させて前記下部基板に提供するアンチ−グレア偏光板とを含む前記経路調節された第２光に基づいて画像をディスプレーする液晶パネルアセンブリと、を含み、
前記第１プリズムシートは、第１透明フィルム上にラウンド形状の頂点を有する第１プリズム列を含み、前記第１プリズム列は「Ｖ」字形状の溝を形成し、前記第１プリズム列の各プリズムは、基底面と第１及び第２傾面を有する三角柱形状の複数のプリズムを具備し、前記第１及び第２傾面によって形成された最高点は同一高さを有し、前記最高点を連結したラインは前記プリズムの長手方向に延長される曲線であることを特徴とする液晶表示装置。
【請求項８】
前記アンチ−グレア偏光板は上面が前記下部基板に対向し、背面が所定のヘイズ（ｈａｚｅ）値を有するように処理された偏光板であることを特徴とする請求項７に記載の液晶表示装置。
【請求項９】
前記ヘイズ値が約１２％〜４４％の範囲内の値を有することを特徴とする請求項８に記載の液晶表示装置。
【請求項１０】
前記光経路調節手段は、第２透明フィルム上に形成された複数の第２プリズムが形成され、前記第１プリズムシートの下部に配置され、前記ランプから提供される第１光を集光して前記第１プリズムシートに提供する第２プリズムシートをさらに備えることを特徴とする請求項７に記載の液晶表示装置。
【請求項１１】
前記第２プリズムシートはマット処理されていないことを特徴とする請求項７に記載の液晶表示装置。
【請求項１２】
前記バックライトアセンブリは前記ランプから提供される第１光を拡散させて前記第１プリズムシートに射出する拡散板をさらに備えることを特徴とする請求項７に記載の液晶表示装置。
【請求項１３】
前記バックライトアセンブリは、前記ランプから第１光の提供を受けて、前記第１光の経路をガイドし、前記ガイドされた光を前記液晶パネルアセンブリに対向する面に形成される拡散手段を通じて拡散させて前記液晶パネルアセンブリに射出する導光板をさらに備えることを特徴とする請求項７に記載の液晶表示装置。
【請求項１４】
ｉ）第１光を発生するランプと、
ｉｉ）第１透明フィルム上にラウンド形状の頂点を有する複数の第１プリズムが形成されて前記ランプから提供される第１光を集光させて経路調節された第２光を射出する第１プリズムシートを有する光経路調節手段を含むバックライトアセンブリと、
ｉｉｉ）上部基板と、前記上部基板に対向する下部基板と、前記上部基板及び前記下部基板間に形成された液晶層と、前記下部基板の背面に配置されて前記第２光の偏光面を均一に偏光させて前記下部基板に提供するアンチ−グレア偏光板とを含む前記経路調節された第２光に基づいて画像をディスプレーする液晶パネルアセンブリと、を含み、
前記第１プリズムシートは、第１ラインと前記第１ラインに実質的に垂直な第２ラインとして定義される光射出面を有し、前記第１プリズムシートは第１透明フィルム上に形成された第１プリズム列を含み、前記第１プリズム列は「Ｖ」字形状の溝を形成し、前記第１プリズム列の各プリズムは、基底面と第１斜面と第２斜面とを有する三角柱形状の複数のプリズムを備え、前記第１斜面及び第２斜面により形成された最高点は、互いに同一高さを有し、前記最高点を連結したラインは前記プリズムの長手方向に延長され前記第１ラインに傾斜する直線であることを特徴とする液晶表示装置。
【請求項１５】
前記第１プリズムシートの下部に配置される第２プリズムシートをさらに含み、前記第２プリズムシートは前記拡散手段により拡散された光を前記第１方向とは相異する第２方向に集光するための直線型プリズムシートであることを特徴とする請求項７に記載の液晶表示装置。
【請求項１６】
前記バックライトアセンブリは、
前記ランプから発生された第１光の経路をガイドして射出する導光板と、
前記導光板の上部に配置され、前記導光板によりガイドされた光を拡散させる拡散シートと
をさらに備えることを特徴とする請求項７に記載の液晶表示装置。
【請求項１７】
前記アンチ−グレア偏光板は上面が前記下部基板に対向し、背面が約１２％〜４４％の範囲内のヘイズ値を有するように処理された偏光板であることを特徴とする請求項６に記載の液晶表示装置。
【請求項１８】
前記光経路調節手段は、第２透明フィルム上に形成された複数の第２プリズム列が形成され、前記第１プリズムシートの下部に配置され、前記ランプから提供される第１光を集光して前記第１プリズムシートに提供する第２プリズムシートをさらに備えることを特徴とする請求項６に記載の液晶表示装置。
【請求項１９】
前記バックライトアセンブリは、前記ランプから第１光の提供を受けて、前記第１光の経路をガイドし、前記ガイドされた光を前記液晶パネルアセンブリに対向する面に形成される拡散手段を通じて拡散させて前記液晶パネルアセンブリに射出する導光板をさらに備えることを特徴とする請求項６に記載の液晶表示装置。
【手続補正２】
【補正対象書類名】明細書
【補正対象項目名】０００６
【補正方法】変更
【補正の内容】
【０００６】
上述した目的を達成するための本発明による液晶表示装置は、内部光源から発生された第１光を集光させて経路調節された第２光を射出する、第１プリズムシートを有する光経路調節手段を含むバックライトアセンブリと、前記第２光の偏光面を均一に偏光させるアンチ−グレア（ａｎｔｉ−ｇｌａｒｅ）偏光板を含む前記経路調節された第２光に基づいて画像をディスプレーする液晶パネルアセンブリと、を含み、
前記第１プリズムシートは、第１透明フィルム上にラウンド形状の頂点を有する第１プリズム列を含み、前記第１プリズム列は「Ｖ」字形状の溝を形成し、前記第１プリズム列の各プリズムは、基底面と第１及び第２傾面を有する三角柱形状の複数のプリズムを具備し、前記第１及び第２傾面によって形成された最高点は同一高さを有し、前記最高点を連結したラインは曲線である。
または、前記第１プリズムシートは、第１ラインと前記第１ラインに実質的に垂直な第２ラインとして定義される光射出面を有し、前記第１プリズムシートは第１透明フィルム上に形成された第１プリズム列を含み、前記第１プリズム列は「Ｖ」字形状の溝を形成し、前記第１プリズム列の各プリズムは、基底面と第１斜面と第２斜面とを有する三角柱形状の複数のプリズムを備え、前記第１斜面及び第２斜面により形成された最高点は、全て同一高さを有し、前記最高点を連結したラインは前記プリズムの長手方向に延長され、前記第１ラインに傾斜する直線である。
【手続補正３】
【補正対象書類名】明細書
【補正対象項目名】０００７
【補正方法】変更
【補正の内容】
【０００７】
上述した目的を達成するための本発明による液晶表示装置は、ｉ）第１光を発生するランプと、ｉｉ）第１透明フィルム上にラウンド形状の頂点を有する複数の第１プリズムが形成されて前記ランプから提供される第１光を集光させて経路調節された第２光を射出する第１プリズムシートを有する光経路調節手段を含むバックライトアセンブリと、ｉｉｉ）上部基板と、前記上部基板に対向する下部基板と、前記上部基板及び前記下部基板間に形成された液晶層と、前記下部基板の背面に配置されて前記第２光の偏光面を均一に偏光させて前記下部基板に提供するアンチ−グレア偏光板とを含む前記経路調節された第２光に基づいて画像をディスプレーする液晶パネルアセンブリと、を含み、
前記第１プリズムシートは、第１透明フィルム上にラウンド形状の頂点を有する第１プリズム列を含み、前記第１プリズム列は「Ｖ」字形状の溝を形成し、前記第１プリズム列の各プリズムは、基底面と第１及び第２傾面を有する三角柱形状の複数のプリズムを具備し、前記第１及び第２傾面によって形成された最高点は同一高さを有し、前記最高点を連結したラインは前記プリズムの長手方向に延長される曲線である。
または、前記第１プリズムシートは、第１ラインと前記第１ラインに実質的に垂直な第２ラインとして定義される光射出面を有し、前記第１プリズムシートは第１透明フィルム上に形成された第１プリズム列を含み、前記第１プリズム列は「Ｖ」字形状の溝を形成し、前記第１プリズム列の各プリズムは、基底面と第１斜面と第２斜面とを有する三角柱形状の複数のプリズムを備え、前記第１斜面及び第２斜面により形成された最高点は、互いに同一高さを有し、前記最高点を連結したラインは前記プリズムの長手方向に延長され前記第１ラインに傾斜する直線である。
ここで、アンチ−グレア偏光板は上面が前記下部基板に対向し、背面が所定のヘイズ（ｈａｚｅ）値を有するように処理された偏光板であることが望ましく、ここで、ヘイズ値は約１２％〜４４％の範囲内の値を有することが望ましい。